(57)【特許請求の範囲】
【請求項１】
円板状の砥石の中心孔に駆動源の駆動軸を嵌挿し、その貫通した駆動軸の露出部分をナットで締付けて駆動軸に砥石を固定し、この砥石全体を覆い、研削作業用の開口部を有するカバーを備えたグラインダーにおいて、
前記カバーの開口部を開閉して、かつ作業部分の露出した砥石を覆うことが可能な開閉蓋と、
この開閉蓋に形成されたノッチ孔と、
このノッチ孔に出入可能なピンと、を備え、
作業者が一方の手で前記開閉蓋を開くとともに、他方の手で前記駆動源の起動スイッチを入れ、この起動スイッチの動作に関連して、前記ピンが前記ノッチ孔に嵌入することで、前記開閉蓋を研削作業ができるように開状態に保持固定し、
前記駆動源の停止スイッチを動作した時に、前記ピンが前記ノッチ穴から抜脱することで、前記開閉蓋の保持固定状態が解除され、前記開閉蓋が摺動し、前記カバーの開口部を閉状態に保持することを特徴とするグラインダーの安全カバー装置。
【請求項２】
前記カバーの開口部を開閉する前記開閉蓋が、回転する砥石を覆う工作物の研削粉の飛散を防止する前記カバーと回転する砥石との間に摺動自在に配置されていることを特徴とする請求項１記載のグラインダーの安全カバー装置。
【請求項３】
前記開閉蓋が断面コ字形で、砥石を囲む形状になっていることを特徴とする請求項１または２記載のグラインダーの安全カバー装置。
【請求項４】
前記カバーの開口部を開閉する前記開閉蓋が開に保持固定した状態から前記停止スイッチの動作に連動して固定解除されたときはこの開閉蓋の自重により摺動し、開口部が完全に閉蓋されることを特徴とする請求項１，２または３記載のグラインダーの安全カバー装置。
【請求項５】
前記カバーの開口部を開閉する前記開閉蓋が常時閉状態に弾性部材によって付勢され、開蓋動作のときはこの弾性部材の付勢力に抗して開口部を開き、全開位置で保持固定するように係止機構を備えたことを特徴とする請求項１，２，３または４記載のグラインダーの安全カバー装置。
【発明の詳細な説明】
【０００１】
【発明の属する技術分野】
この発明は、回転する砥石を有するグラインダーの駆動源の回転停止に伴う砥石の惰性回転による災害を防止するグラインダーの安全カバー装置に関する。
【０００２】
【従来の技術】
砂や硬質物を混合し結着剤によって固めた円板状の砥石の中心孔に駆動源の回転軸を挿入し、この回転軸の露出部分を締付ナットにより固定し、この砥石を駆動源（モーター）よって回転させ、この砥石の表面によって加工物を研削するグラインダーが知られており、例えば、図６に示されるような両頭グラインダーにおいて、前記締付ナットは駆動源が急激に回転を始めるため、この始動時の回転力により、この締付ナットが締まるように設けられている。このため研削作業終了後、駆動源に負荷をかけ砥石の回転を停止させると、この砥石の慣性力により同一方向にしばらく回転することになるから前記締付ナットが緩んで砥石が回転軸から外れるおそれがあり、このような高速回転の砥石が外れると重大な災害の発生につながるため、砥石を緩やかな制動により停止させていた。
【０００３】
【発明が解決しようとする課題】
このように駆動源に負荷をかけ、砥石の回転を停止させると、この砥石の慣性力により同一方向にしばらく回転することになるから前記締付ナットが緩むことになっていたため、急停止させることはできなかった。そのため、駆動源が停止したあと、しばらく砥石は慣性力の惰性により回転してから停止するので、この砥石の回転時に作業員の手などを回転体に巻き込まれるおそれがあり危険であった。
【０００４】
このような砥石の慣性による惰性回転による手の巻き込み等による危険を防止するために回転する砥石全体を覆う安全カバーをグラインダー装置の上部に開閉自在に軸支し、このグラインダーの起動スイッチに連動して電動モーター等を動作させてリンク機構により前記安全カバーを開閉させる制御回路を設けたものなどが提案されているが、この安全カバーは砥石の両側面を保護するもので、前面の作業位置には開口部が設けられているものである。しかも電気的制御により、リトラクタモーターを駆動してリンク機構を作動させるために複雑な機構を必要とした。
【０００５】
この発明の課題は、作業終了後は研削作業を行う砥石の露出部を覆い、砥石の惰性による回転のための作業員の手等の巻き込みを防止する簡易な構造による廉価なグラインダーの安全カバー装置を提供するものである。
また、他の課題は、開閉蓋をピンにより開状態を保持固定し、このピンの脱抜動作で開閉蓋が閉動作を行うという簡素なグラインダーの安全カバー装置を提供するものである。
【０００６】
【課題を解決するための手段】
この発明の前記課題は、円板状の砥石の中心孔に駆動源の駆動軸を嵌挿し、その貫通した駆動軸の露出部分をナットで締付けて駆動軸に砥石を固定し、この砥石全体を覆い、研削作業用の開口部を有するカバーを備えたグラインダーにおいて、前記カバーの開口部を開閉して、かつ作業部分の露出した砥石を覆うことが可能な開閉蓋と、この開閉蓋に形成されたノッチ孔と、このノッチ孔に出入可能なピンと、を備え、作業者が一方の手で前記開閉蓋を開くとともに、他方の手で前記駆動源の起動スイッチを入れ、この起動スイッチの動作に関連して、前記ピンが前記ノッチ孔に嵌入することで、前記開閉蓋を研削作業ができるように開状態に保持固定し、前記駆動源の停止スイッチを動作した時に、前記ピンが前記ノッチ穴から脱抜することで、前記開閉蓋の保持固定状態が解除され、前記開閉蓋が摺動し、前記カバーの開口部を閉状態に保持する構成によって達成できる。
【０００７】
この発明の安全カバー装置は砥石の駆動源である電動モーターを停止させるための停止スイッチの動作によって砥石の研削作業のためのカバーの開口部を開閉蓋によって回転している砥石を隠蔽することができるから、砥石が慣性回転力で惰性回転していても、作業開口部分で手等が巻き込まれるおそれは全くない。しかも、研削作業に際して、開閉蓋を摺動させて、研削作業の開口部分を開口し、係合固定することになるから作業時に開閉蓋が摺動して閉蓋することがない。また、このとき、作業者が一方の手で開閉蓋を開くとともに、他方の手で駆動源の起動スイッチを操作するから回転体に手が触れることがないので安全である。
【０００８】
【発明の実施の形態】
この発明のグラインダーの安全カバー装置について、図面に示す実施例にもとづいて説明する。
図１はこの発明のグラインダーの安全カバー装置を搭載した両頭グラインダー装置の斜視図である。図２はこの発明のグラインダーの安全カバー装置の開閉蓋を閉状態にしたときの砥石のカバー部分を示す要部側面図である。図３はこの発明のグラインダーの安全カバー装置の開閉蓋を開状態にしたときの砥石のカバー部分を示す一部破断した要部側面図である。図４は図２のＡ−Ａ断面の正面図である。図５は（Ａ）はこの発明の安全カバー装置に使用する開閉蓋の１実施例の正面図、（Ｂ）はその側面図である。図６は従来の両頭グラインダーの斜視図面である。
【０００９】
１，１は台座２の上に搭載固定した駆動源３の回転軸４に固定した左右の砥石５，５のほぼ全体を被覆するカバーで、作業時に研削粉の飛散を防止するように砥石５，５を覆うように形成し、砥石５、５の高速回転時の研削作業を行う開口部分６，６を形成して台座２の固定枠７，７に取付け固定してある。
以下、に左右の構成は同じであるから片側の装置について説明する。
このカバー１と砥石５との間に配設し、前記カバー１の開口部分６を開閉する開閉蓋９がカバー１の中心軸２１に回動自在に嵌装してあり、開閉蓋９はカバー１の開口部分６からの砥石５の露出を完全に隠蔽するように、例えば、断面コ字形にして扇状に形成してある。この開閉蓋９を全開しているときカバー１の外側に配置するフランジ９ａが開閉蓋９の端側縁に形成され、このフランジ９ａにノッチ孔８を穿設してある。
【００１０】
１１は開閉蓋９のそれぞれの操作杆で、この末端がカバー１の中心軸２１に回動自在に軸着してある。１２はカバー１の外側面にＬ字状のアーム１５を介して固定したノッチ機構で、このノッチ機構１２に出入するピン１３が配設され、このピン１３が開閉蓋９の前記ノッチ孔８に嵌入して開閉蓋９が開状態に保持固定される。１４は開閉蓋９を完全に閉塞したときの係止部である。１６は台座２上の駆動源３の左右の砥石５，５の起動スイッチ１７，１７′や作業終了時および非常停止の場合に操作する停止スイッチ１８を配置した操作盤である。１９は砥石５の研削作業の時に作業員の眼を保護する透明なアイシールドで、カバー１の開口部分６の周縁に固着してある。２０は工作物受台である。
【００１１】
この発明のグラインダーの安全カバー装置について図面に基づき動作を以下に説明する。
図１に示すように両頭グラインダーの駆動源３の左側は砥石５が停止している状態で、開閉蓋９が閉状態に保持されているときで、右側は作業開始のために開閉蓋９が開状態に保持されている状態である。
研削作業を開始する際、先ず図２に示される操作杆１１を反時計方向に回動して開閉蓋９を開成し、開口部分６を開放して砥石５を露出させる。操作盤１６の起動スイッチ１７を操作すると駆動源３によって砥石５が駆動して回転する。他方、右側の砥石５、例えば、種類の異なる砥石５を動作する際には前記と同様に開閉蓋９を開蓋し、起動スイッチ１７′を操作することにより駆動することができる。この両方の砥石５，５を順次または交互に使用して研削作業を行うこともできる。この研削作業を中止するときは停止スイッチ１８を押圧する。図示しない制御機構の指令に基づきノッチ機構１２のピン１３が開閉蓋９のノッチ孔８から抜け、開閉蓋９が自重により落下して開口部分６を閉塞する。
【００１２】
また、片方のみ研削作業を行うときは操作杆１１を操作して開閉蓋９を図２上で反時計方向に回動する。開閉蓋９を完全に開放し、カバー１の開口部分６を全開したとき、ノッチ機構１２のピン１３が開閉蓋９のフランジ９ａのノッチ孔８を貫挿して、開閉蓋９の開状態が保持される（図３参照）。次に、作業者は右手指で操作盤１６の起動スイッチ１７を操作して左側の砥石５を駆動する。このように左手で開閉蓋９を操作し、他方の右手で起動スイッチ１７を操作するから回転体に手が触れることがないので安全である。両頭グラインダーの場合は右側の砥石５は被覆されているので安全に研削作業ができる。
【００１３】
開閉蓋９の開状態において、ピン１３が開閉蓋９のノッチ孔８に係合して固定されているから砥石５が回転し、工作物受台２０に工作物を配置して研削作業が開始できる。
研削作業終了時には操作盤１６の停止スイッチ１８を押圧するとノッチ機構１２が動作し、ピン１３が開閉蓋９のノッチ孔８から抜ける。開閉蓋９は自重による復元力により図２の時計方向に回動して係止部１４で停止する。これによって砥石５の開口部分６は完全に閉塞し、砥石５の慣性による回転状態は隠蔽されることになる。
【００１４】
【実施例】
この発明の図面に示す実施例において開閉蓋９の開状態を保持する機構としてノッチ孔８とピン１３との係合によりおこなっているが、開閉蓋９にフランジ９ａを設けることなく、開閉蓋９がカバー１内に完全に収納されるときは、カバー１にノッチ孔８を設け、図５の実施例のように開閉蓋９に係合孔１０を穿設し、ノッチ機構１２のピン１３がカバー１のノッチ孔８を貫通し、係合孔１０に係合させて開閉蓋９を固定してもよい。また、この開閉蓋９を固定するのに電磁石等を使用して、磁石の作用を制御することにより開閉蓋９を固定することもでき、更に、磁石等を利用し、開閉蓋９を閉塞方向に移動させるようにしてもよい。
【００１５】
開閉蓋９の閉じる方向に回動するためには操作杆１１にスプリング等の弾性部材を固着してもよく、この開閉蓋９が常時閉状態を保持するようにつる巻ばね等の復元機構が内装してあってもよい。
【００１６】
また、この開閉蓋９は透明な合成樹脂などで形成すれば砥石５の回転状態を確認することができる。更に、この開閉蓋９が軽い場合は、開閉蓋９の先端に錘りを固着し、ノッチ機構１２のピン１３が係合孔１０から抜けたとき自重により閉動作が短時間に行われるようにすることもできる。
【００１７】
【発明の効果】
この発明のグラインダーの安全カバー装置は、砥石の回動の駆動源の停止スイッチを操作したときに開閉蓋が砥石全体を覆い、惰性で回動している砥石を隠蔽することができるから回転している砥石に誤って手が触れたり、手等が巻き込まれるおそれは全くなく、それらの危険を防止することができる。
また、開閉蓋をピンにより開状態を保持固定し、このピンの脱抜動作で開閉蓋が閉動作を行うという簡素なグラインダーの安全カバー装置を提供することができる。
【図面の簡単な説明】
【図１】この発明のグラインダーの安全カバー装置を搭載した両頭グラインダー装置の斜視図である。
【図２】この発明のグラインダーの安全カバー装置の開閉蓋を閉状態にしたときの砥石のカバー部分を示す要部側面図である。
【図３】この発明のグラインダーの安全カバー装置の開閉蓋を開状態にしたときの砥石のカバー部分を示す一部破断した要部側面図である。
【図４】図２のＡ−Ａ断面の正面図である。
【図５】（Ａ）はこの発明の安全カバー装置に使用する開閉蓋の１実施例の正面図、（Ｂ）はその側面図である。
【図６】従来の両頭グラインダーの斜視図面である。
【符号の説明】
１  …カバー
２  …台座
３  …駆動源
４  …回転軸
５  …砥石
６  …開口部分
７  …固定枠
８  …ノッチ孔
９  …開閉蓋
１０  …係合孔
１１  …操作杆
１２  …ノッチ機構
１３  …ピン
１４  …係止部
１５  …アーム
１６  …操作盤
１７  …起動スイッチ
１８  …停止スイッチ
１９  …アイシールド
２０  …工作物受台
２１  …中心軸
【図１】
0003786378.tif 000002
【図２】
0003786378.tif 000003
【図３】
0003786378.tif 000004
【図４】
0003786378.tif 000005
【図５】
0003786378.tif 000006
【図６】
0003786378.tif 000007